(57)【特許請求の範囲】
【請求項１】
被印字テープに所望の印字を形成して印字ラベルを作成する印字ラベル作成装置に接続可能に構成されるとともに、操作手段と、表示手段と、演算手段と、文字の形を表現するフォントデータと、を備えた操作端末に備えられた、前記演算手段に対し、
前記操作手段を介した操作者の操作に基づき、予め前記演算手段にインストールされた所定の定型印字情報作成アプリケーションプログラムを用いて、前記印字ラベル作成装置での前記印字ラベルの作成時に使用される定型印字情報を包含する外枠のサイズが所定値に固定された前記定型印字情報を作成する定型印字作成手順と、
前記定型印字情報作成アプリケーションプログラムにより、前記定型印字情報に含まれる文字列に対応するフォントデータのテープ幅方向両端側及びテープ長さ方向両端側にそれぞれ設定された、幅方向余白領域及び長さ方向余白領域のうち、少なくとも前記幅方向余白領域を削除する余白領域削除手順と、
前記余白領域削除手順で前記余白領域の削除が行われた前記定型印字情報を前記表示手段に表示する定型印字表示手順と、
予め前記演算手段にインストールされた所定の定型印字情報転送アプリケーションプログラムを用いて、前記定型印字表示手順で表示された前記定型印字情報を前記印字ラベル作成装置へ転送する定型印字転送手順と、
前記余白領域削除手順での余白領域削除が行われた後、前記所定値のサイズである前記外枠に包含される前記定型印字情報の前記文字列に対して適用すべきフォントサイズを決定するフォントサイズ決定手順と、
前記定型印字情報の前記文字列のフォントサイズを、前記フォントサイズ決定手順により決定されたフォントサイズに変換するフォントサイズ変換手順と、
を実行させるための、定型印字情報処理プログラム。
【請求項２】
請求項１記載の定型印字情報処理プログラムにおいて、
前記余白領域削除手順は、
前記幅方向余白領域及び前記長さ方向余白領域の両方を削除する
ことを特徴とする定型印字情報処理プログラム。
【請求項３】
請求項１又は２記載の定型印字情報処理プログラムにおいて、
前記定型印字作成手順は、当該定型印字情報を包含する外枠のサイズが所定値に固定され、かつ、複数行にわたる前記文字列を備えた、前記定型印字情報を作成し、
かつ、前記演算手段に対し、さらに、
前記フォントサイズ変換手順で変換されたフォントサイズを用いて前記文字列を前記複数行へ配列するときの、各行への分配態様を決定する分配態様決定手順
を実行させることを特徴とする、定型印字情報処理プログラム。
【請求項４】
印字ラベルを作成する印字ラベル作成装置に接続可能に構成された操作端末が実行する、定型印字情報処理方法であって、
操作者の操作に基づき、前記印字ラベル作成装置での前記印字ラベルの作成時に使用される定型印字情報を包含する外枠のサイズが所定値に固定された前記定型印字情報を作成する定型印字作成手順と、
予めインストールされた所定の定型印字情報作成アプリケーションプログラムにより前記定型印字情報に含まれる文字列のテープ幅方向両端側及びテープ長さ方向両端側にそれぞれ設定された、幅方向余白領域及び長さ方向余白領域のうち、少なくとも前記幅方向余白領域を削除する余白領域削除手順と、
前記余白領域削除手順で前記余白領域の削除が行われた前記定型印字情報を表示する定型印字表示手順と、
前記定型印字表示手順で表示された前記定型印字情報を前記印字ラベル作成装置へ転送する定型印字転送手順と、
前記余白領域削除手順での余白領域削除が行われた後、前記所定値のサイズである前記外枠に包含される前記定型印字情報の前記文字列に対して適用すべきフォントサイズを決定するフォントサイズ決定手順と、
前記定型印字情報の前記文字列のフォントサイズを、前記フォントサイズ決定手順により決定されたフォントサイズに変換するフォントサイズ変換手順と、
を有することを特徴とする定型印字情報処理方法。
【請求項５】
印字ラベルを作成する印字ラベル作成装置に接続可能に構成されるとともに、操作手段と、表示手段と、演算手段と、を備えた操作端末に備えられた、前記演算手段に対し、
前記操作手段を介した操作者の操作に基づき、予め前記演算手段にインストールされた所定の定型印字情報作成アプリケーションプログラムを用いて、前記印字ラベル作成装置での前記印字ラベルの作成時に使用される定型印字情報を包含する外枠のサイズが所定値に固定された前記定型印字情報を作成する定型印字作成手順と、
前記定型印字情報作成アプリケーションプログラムにより、前記定型印字情報に含まれる文字列のテープ幅方向両端側及びテープ長さ方向両端側にそれぞれ設定された、幅方向余白領域及び長さ方向余白領域のうち、少なくとも前記幅方向余白領域を削除する余白領域削除手順と、
前記余白領域削除手順で前記余白領域の削除が行われた前記定型印字情報を前記表示手段に表示する定型印字表示手順と、
予め前記演算手段にインストールされた所定の定型印字情報転送アプリケーションプログラムを用いて、前記定型印字表示手順で表示された前記定型印字情報を前記印字ラベル作成装置へ転送する定型印字転送手順と、
前記余白領域削除手順での余白領域削除が行われた後、前記所定値のサイズである前記外枠に包含される前記定型印字情報の前記文字列に対して適用すべきフォントサイズを決定するフォントサイズ決定手順と、
前記定型印字情報の前記文字列のフォントサイズを、前記フォントサイズ決定手順により決定されたフォントサイズに変換するフォントサイズ変換手順と、
を実行させるための定型印字情報処理プログラムが、前記演算手段により読み取り可能に記録されていることを特徴とする記録媒体。
【発明の詳細な説明】
【技術分野】
【０００１】
本発明は、印字ラベル作成装置に接続された操作端末で用いられる定型印字情報処理プログラム及び定型印字情報処理方法、並びに、上記定型印字情報処理プログラムを記録した記録媒体に関する。
【背景技術】
【０００２】
操作端末（コンピュータ装置）と印字ラベル作成装置（テープ印刷装置）とが接続され、操作者が操作端末を介し印字ラベル作成装置を操作して印字ラベル（印刷テープ）を作成可能なシステムが既に知られている（例えば、特許文献１参照）。この従来技術では、操作者が所望の態様の印字ラベルを簡単に作成できるように、印字ラベル作成装置では定型印字情報（いわゆるテンプレート）を用いることができる。また、操作端末の演算手段には、所定の定型印字情報作成アプリケーションプログラム（エディタ）が予めインストールされており、上記定型印字情報の内容を所望に編集することができる。操作者は、表示手段（表示装置）での表示により編集後の定型印字情報の内容を確認した後、印字ラベル作成装置に当該定型印字情報を転送することができる。
【先行技術文献】
【特許文献】
【０００３】
【特許文献１】特開２００７−１０８９０９号公報（図７、図８）
【発明の概要】
【発明が解決しようとする課題】
【０００４】
上記従来技術では、以下の課題が存在する。すなわち、定型印字情報には、例えば、枠線や罫線等の線図部分と、その線図部分に対応付けた位置に適宜に配置される文字列部分と、が含まれる。操作端末はパソコン等によって構成されるので、操作者に対する視認性や美観性の観点から、文字列に対し、当該文字列のテープ幅方向両端側の幅方向余白及びテープ長さ方向両端側の長さ方向余白の両方を備えたフォントが通常用意されている（図７及び図８参照）。一方、印字ラベル作成装置は、テープ幅方向寸法に制約がある印字テープへの印字形成を行うことから、上記とは異なり、文字列に対し、文字列のテープ幅方向両端側の幅方向余白をもたないフォントが用意されている場合が多い。
【０００５】
したがって、上述のようにして操作者により編集された定型印字情報が印字ラベル作成装置へ転送され、その定型印字情報を用いて印字ラベルが作成されたとき、上記のフォントの余白の有無の差異により、印字ラベルで印字形成された文字列の態様が、操作者が定型印字情報の編集時に意図した態様と異なってしまう可能性があった。
【０００６】
本発明の目的は、印字ラベルで印字形成された文字列の態様が、操作者が定型印字情報の編集時に意図した態様と異なるのを防止し、利便性を向上できる、定型印字情報処理プログラム、定型印字情報処理方法、及び記録媒体を提供することにある。
【課題を解決するための手段】
【０００７】
上記目的を達成するために、本願発明の定型印字情報処理プログラムは、被印字テープに所望の印字を形成して印字ラベルを作成する印字ラベル作成装置に接続可能に構成されるとともに、操作手段と、表示手段と、演算手段と、文字の形を表現するフォントデータと、を備えた操作端末に備えられた、前記演算手段に対し、前記操作手段を介した操作者の操作に基づき、予め前記演算手段にインストールされた所定の定型印字情報作成アプリケーションプログラムを用いて、前記印字ラベル作成装置での前記印字ラベルの作成時に使用される定型印字情報を包含する外枠のサイズが所定値に固定された前記定型印字情報を作成する定型印字作成手順と、前記定型印字情報作成アプリケーションプログラムにより、前記定型印字情報に含まれる文字列に対応するフォントデータのテープ幅方向両端側及びテープ長さ方向両端側にそれぞれ設定された、幅方向余白領域及び長さ方向余白領域のうち、少なくとも前記幅方向余白領域を削除する余白領域削除手順と、前記余白領域削除手順で前記余白領域の削除が行われた前記定型印字情報を前記表示手段に表示する定型印字表示手順と、予め前記演算手段にインストールされた所定の定型印字情報転送アプリケーションプログラムを用いて、前記定型印字表示手順で表示された前記定型印字情報を前記印字ラベル作成装置へ転送する定型印字転送手順と、前記余白領域削除手順での余白領域削除が行われた後、前記所定値のサイズである前記外枠に包含される前記定型印字情報の前記文字列に対して適用すべきフォントサイズを決定するフォントサイズ決定手順と、前記定型印字情報の前記文字列のフォントサイズを、前記フォントサイズ決定手順により決定されたフォントサイズに変換するフォントサイズ変換手順と、を実行させることを特徴とする。
【０００８】
本願発明の対象となる操作端末は、印字ラベル作成装置に接続されている。操作者は、操作端末を介し印字ラベル作成装置を操作することで印字ラベルを作成することができる。このとき、所望の態様の印字ラベルを簡単に作成できるように、印字ラベル作成装置では定型印字情報（いわゆるテンプレート）を用いることができる。本願発明の定型印字情報処理プログラムでは、操作端末側のフォントと印字ラベル作成装置側のフォントとの余白の不一致による弊害を回避するために、操作端末に、定型印字作成手順、余白領域削除手順を実行させる。
【０００９】
すなわち、定型印字作成手順で、操作手段を介した操作者の操作に基づき、定型印字情報作成アプリケーションプログラムにより定型印字情報が作成される。このとき、通常、操作端末にインストールされている定型印字情報作成アプリケーションプログラムでは、定型印字情報に含まれる文字列のテープ幅方向両端側に幅方向余白領域が設定されるとともに、文字列のテープ長さ方向両端側にテープ長さ方向余白領域が設定される。そこで、余白領域削除手順では、上記幅方向余白領域及び長さ方向余白領域のうち、少なくとも幅方向余白領域を削除する。こうして幅方向余白領域が削除された定型印字情報は、定型印字表示手順において表示手段で表示された後、定型印字転送手順で印字ラベル作成装置へ転送される。
【００１０】
以上のように、本願発明では、操作端末において、定型印字情報の文字列の周囲に自動的に設定される余白領域のうち、少なくとも幅方向余白領域を削除して表示を行う。その後、当該定型印字情報を印字ラベル作成装置へ転送する。これにより、印字ラベル作成装置で印字形成する文字列の態様を、操作者が操作端末で定型印字情報を編集した時に意図した文字列の態様になるべく近づけることができる。この結果、操作者の利便性を向上することができる。
【発明の効果】
【００１１】
本発明によれば、印字ラベルで印字形成された文字列の態様が、操作者が定型印字情報の編集時に意図した態様と異なるのを防止し、利便性を向上することができる。
【図面の簡単な説明】
【００１２】
【図１】本発明の一実施形態の印字ラベル作成装置を備えたラベル生成システムを表すシステム構成図である。
【図２】印字ラベル作成装置の外観を前方上方から表す斜視図である。
【図３】印字ラベル作成装置の制御系を表す概念図である。
【図４】編集前のテンプレート、編集後のテンプレート、テンプレートによって生成された印字ラベルそれぞれの例を表す概念的説明図である。
【図５】操作端末で表示されるテンプレート、及び、当該テンプレートによって印字ラベル作成装置で生成された印字ラベル、をそれぞれ表す概念的説明図である。
【図６】操作端末の表示部に表示される、定型印字情報作成アプリケーションプログラムの入力操作画面を表す説明図である。
【図７】操作端末の表示部に表示される、定型印字情報転送アプリケーションプログラムの入力操作画面を表す説明図である。
【図８】印字ラベル作成装置の制御回路により実行される制御手順を表すフローチャートである。
【図９】ＰＣのＣＰＵにより実行される制御手順を表すフローチャートである。
【図１０】枠サイズが固定されたテンプレートを表示する変形例における、操作端末で表示されるテンプレート、及び、当該テンプレートによって印字ラベル作成装置で生成された印字ラベル、を表す説明図である。
【図１１】ＰＣのＣＰＵで実行される制御手順を表すフローチャートである。
【図１２】複数行にわたる長文を含むテンプレートを表示する変形例における、操作端末で表示されるテンプレート、及び、当該テンプレートによって印字ラベル作成装置で生成された印字ラベル、を表す説明図である。
【図１３】ＰＣのＣＰＵで実行される制御手順を表すフローチャートである。
【発明を実施するための形態】
【００１３】
以下、本発明の一実施の形態を図面を参照しつつ説明する。
【００１４】
本実施形態の操作対象となる印字ラベル作成装置を備えたラベル生成システムを、図１により説明する。
【００１５】
図１に示すこのラベル生成システムＬＳにおいて、印字ラベル作成装置１は、有線あるいは無線による通信回線ＮＷを介してＰＣ１１８（操作端末）に接続されている。上記ＰＣ１１８は、液晶ディスプレイ等の表示部１１８ａ（表示手段）と、キーボードやマウス等である操作部１１８ｂ（操作手段）と、図示しないＣＰＵ（演算手段）やメモリ（ＲＡＭやＲＯＭ）等を備えた制御部を有している。上記ＣＰＵは、ＲＡＭの一時記憶機能を利用しつつＲＯＭに予め記憶されたプログラムに従って処理を行う。このプログラムには、後述する図９の制御手順を実行するための定型印字情報処理プログラム（詳細は後述）が含まれている。なお、当該定型印字情報処理プログラムは、事前にＲＯＭに記憶させておくのではなく、適宜の記録媒体に記録しておいてもよい。この場合、当該記録媒体に対し適宜のタイミングでＰＣ１１８のＣＰＵが読み取りを行って当該定型印字情報処理プログラムの取得を行い、取得後にＣＰＵが当該プログラムを実行する。
【００１６】
印字ラベル作成装置１の構成を図２及び図３を用いて説明する。図２及び図３において、印字ラベル作成装置１は、樹脂製の本体筐体２と、本体筐体２の上側を覆うように後側上端縁部に開閉自在に取り付けられた透明樹脂製の上カバー５とを備えている。上カバー５の前側のフロントカバー６には、印字が形成された後のラベル用テープ３０Ａ（被印字テープ）を外部に排出する排出口６Ａが形成されている。
【００１７】
本体筐体２には、所定幅の上記ラベル用テープ３０Ａがロール状に巻回されたラベル用テープロール３０が収納されている（図３参照）。このラベル用テープ３０Ａは、自己発色性を有する長尺状の感熱シート（いわゆるサーマルペーパー）と、該感熱シートの片面に粘着剤を介して貼り合わされた離型紙とから構成される。ラベル用テープロール３０は、例えばカートリッジ化されたものであり、本体筐体２には、このカートリッジを着脱自在なカートリッジホルダ（図示せず）が設けられている。なお、上記のようなカートリッジ方式ではなく、ラベル用テープロール３０を直接本体筐体２の内部に収納し、ラベル用テープロール３０を本体筐体２の内部で回転させながら、ラベル用テープ３０Ａを繰り出すようにしてもよい。
【００１８】
ラベル用テープロール３０から繰り出されたラベル用テープ３０Ａは、搬送手段としてのプラテンローラ２６により搬送される（図３参照）。プラテンローラ２６は、プラテンローラ用モータ２０８によって駆動される。その駆動により、ラベル用テープ３０Ａに搬送力が働き、ラベル用テープ３０Ａがラベル用テープロール３０から繰り出される。プラテンローラ用モータ２０８の制御は、プラテンローラ駆動回路２０９によって行われる。搬送されるラベル用テープ３０Ａは、サーマルヘッド３１とプラテンローラ２６との間を通って排出口６Ａへと導かれる。なお、センサ２３９は、上記ラベル用テープ３０Ａに適宜の識別用マークが設けられている場合に、当該マークを検出する。
【００１９】
サーマルヘッド３１は、ラベル用テープ３０Ａの搬送方向と直交する方向に、複数個の発熱素子を備えている（図示せず）。サーマルヘッド３１の発熱素子が設けられた面と対向する側に、上記プラテンローラ２６は配置されている。発熱素子には、印字すべきドットパターンデータに従って通電がなされ、これによって、ラベル用テープロール３０から繰り出されたラベル用テープ３０Ａ上に文字や図像等が印字される。サーマルヘッド３１に設けられた各発熱素子の駆動は、印刷駆動回路２０５によって行われる。
【００２０】
排出口６Ａの内側には、固定刃４１Ｂと可動刃４１Ａを備えたカッターユニット４０が配置されている（図３参照）。サーマルヘッド３１により印字が行われたラベル用テープ３０Ａは、切断用モータやソレノイド等のアクチュエータ（図示せず）により所定のタイミングで可動刃４１Ａが往復移動することで切断され、所定長さの印字ラベルＬ（後述の図４（ｃ）参照）となって排出口６Ａから排出される。なお、このようなアクチュエータの駆動力による自動切断動作ではなく、操作者が可動刃４１Ａを手動で往復移動させて切断する、手動切断としてもよい。
【００２１】
排出口６Ａの上側の前面部には、上記キー入力部４が配置されている（図２参照）。キー入力部４は、複数（この例では９個）のキー４Ａ，４Ｂ，４Ｃ，４Ｄ，４Ｅ，４Ｆ，４Ｇ，４Ｈ，４Ｉを備えている。
【００２２】
フロントカバー６の下側縁部には、フロントカバー６の前側を覆うようにトレー部材９が開閉自在に取り付けられている（図２参照）。トレー部材９は、上端部に形成された凹み部９Ａに操作者が指を掛け前側に回動させることにより、開く。なお、図示していないが、本体筐体２の背面部には図示しない電源コードが接続されるインレットと、複数のＵＳＢ（Ｕｎｉｖｅｒｓａｌ  Ｓｅｒｉａｌ  Ｂｕｓ）コネクタとが設けられている。また本体筐体２の適宜の箇所に、上記電源コードを介した給電により装置電源をＯＮ又はＯＦＦする電源スイッチが設けられている（いずれかのキー４Ａ〜４Ｉがこの電源スイッチ機能を備えていてもよい）。上記ＵＳＢコネクタを用いることで、通信回線ＮＷを介してＰＣ１１８との接続が可能となる。
【００２３】
制御回路２１０は、いわゆるマイクロコンピュータであり、例えばＲＡＭやＲＯＭからなるメモリ２１０Ａを備える。また制御回路は、メモリ２１０Ａ以外にも、詳細な図示を省略するが、中央演算処理装置であるＣＰＵ等を備えている。このＣＰＵは、ＲＡＭの一時記憶機能を利用しつつＲＯＭに予め記憶されたプログラムに従って処理を行う。このプログラムには、後述する図８の制御手順を実行するための印字ラベル作成プログラムが含まれている。制御回路２１０は、プラテンローラ駆動回路２０９及び印刷駆動回路２０５等を介し、印字ラベル作成装置１全体の動作を制御する。すなわち、制御回路２１０は、ＰＣ１１８から転送されてきた編集後の印字データ（後述のテンプレートを含む）に従って、プラテンローラ２６によりラベル用テープ３０Ａを繰り出しつつサーマルヘッド３１による印刷を行わせ、印字ラベルＬを作成する。
【００２４】
また制御回路２１０には、現在時刻を計時するタイマ２０１と、上記キー入力部４とが接続されている。図示を省略しているが、上記切断用のアクチュエータを制御する切断用駆動回路も接続されている。なお、制御回路２１０は、上記電源コードに接続された電源回路２１１Ａにより給電されるとともに、通信回路２１１Ｂを介し上記通信回線ＮＷに接続されている。この結果、制御回路２１０は、通信回線ＮＷに接続された上記ＰＣ１１８や、さらには図示しないサーバ、他の端末等との間で情報のやりとりが可能となっている。
【００２５】
＜本実施形態の特徴＞
上記の基本構成において、本実施形態の特徴は、印字ラベル作成装置１で印字ラベルＬに対し印字形成する文字列の態様を、操作者がＰＣ１１８でテンプレートを編集した時に意図した文字列の態様に近づけることにある。以下、その詳細を順を追って説明する。
【００２６】
＜テンプレートを用いた印字ラベルの作成＞
本実施形態では、前述したように、ＰＣ１１８が印字ラベル作成装置１に接続されている。操作者は、ＰＣ１１８の操作部１１８ｂを介し表示部１１８ａの編集画面で編集操作を行うことで印字ラベルＬを作成することができる。このとき、所望の態様の印字ラベルＬを簡単に作成できるように、本実施形態では、定型印字情報としてのテンプレートが用意されている。テンプレートには、一般的に、枠線や罫線等の線図部分や、その線図部分に対応付けた位置に適宜に配置される文字列部分とが含まれる（線図部分がない場合もある）。また文字列部分は、通常、操作者が自由に操作入力できる部分を含む。本実施形態では、操作者は、ＰＣ１１８において、テンプレートに対して適宜の入力を行って上記文字列部分を編集した後、その編集後のテンプレートを印字ラベル作成装置１に転送することで、当該テンプレートを用いて印字ラベルＬを作成することができる。
【００２７】
上記編集前の原型テンプレートＴ−０の概念的構成を図４（ａ）に示す。図４（ａ）において、原型テンプレートＴ−０では、この例では７つの文字列に対応した主たるテキスト印字（この例では後述のようにアルファベット「ａｂｃｄｅｆｇ」の文字）のための領域ＡＲ−１と、その下側に設けられ、従たるテキスト印字（この例では後述のように「２０１１／１２２４／０７４２」等の現在時刻情報を表す文字）のための領域ＡＲ−０と、が予め用意されている。なお、この時点では領域ＡＲ−０，Ｒ−１には何も入力がなされず、実際には空欄のままである。
【００２８】
操作者は、表示部１１８ａの編集画面に上記原型テンプレートＴ−０を表示させた状態で、操作部１１８ｂにより所望に編集を行うことができる。この編集のために、ＰＣ１１８の上記ＣＰＵには、所定の定型印字情報作成アプリケーションプログラム（いわゆるエディタ）が予めインストールされている。この編集後のテンプレートＴの概念的構成を図４（ｂ）に示す。図４（ｂ）において、この例では、領域ＡＲ−１に対し、操作者の上記編集により「ａｂｃｄｅｆｇ」の文字列Ｒ−１が入力されている。なお、領域ＡＲ−０は、（操作者が編集入力するのではなく）印字ラベル作成装置１が上記タイマ２０１からの時刻情報により文字列を入力する箇所であるため、この時点では空欄のままである。
【００２９】
ここで、ＰＣ１１８の上記ＣＰＵには、所定の定型印字情報転送アプリケーションプログラム（いわゆるトランスファーマネージャ）が予めインストールされている。操作者は、上記定型印字情報転送アプリケーションプログラムによる表示部１１８ａでの所定の転送画面の表示により編集後のテンプレートＴの内容を確認した後、印字ラベル作成装置１に当該テンプレートＴを転送することができる。印字ラベル作成装置１は、この転送されたテンプレートＴを用いて、印字ラベルＬを作成する。生成された印字ラベルＬの一例を図４（ｃ）に示す。図４（ｃ）において、この例では、印字ラベルＬには、上記テンプレートＴの「ａｂｃｄｅｆｇ」の文字列Ｒ−１に対応した、「ａｂｃｄｅｆｇ」の文字列Ｒ−２が印字形成されている。また、当該印字ラベルＬの作成時に前述のようにしてタイマ２０１から取得された時刻情報により、上記テンプレートＴの領域ＡＲ−０に対しその時点の現在時刻が入力されることで、文字列Ｒ−２の下に当該現在時刻を表す「２０１１／１２２４／０７４２」の文字列Ｒ−３が印字形成されている。なお、上記の転送後は、ＰＣ１１８と印字ラベル作成装置１との接続を切り離した印字ラベル作成装置１単独の状態で、印字ラベルＬを作成可能としてもよい。
【００３０】
＜フォントの不一致による印字態様の変化＞
ところで、本実施形態のＰＣ１１８においては、文字の形を表現するフォントデータとして、操作者に対する視認性や美観性に配慮したフォントが用意されている。すなわち、当該フォントでは、図５（ａ）に示すように、表示画面（後述の図６の編集プレビュー表示画面１６ｃも参照）上の文字列Ｒ−１に対し、当該文字列Ｒ−１のテープ幅方向両端側の幅方向余白領域Ｓ−１，Ｓ−２と、テープ長さ方向両端側の長さ方向余白領域Ｓ−３，Ｓ−４の両方を備えたフォントが用意されている。
【００３１】
一方、印字ラベル作成装置１は、テープ幅方向寸法に制約があるラベル用テープ３０Ａへの印字形成を行うことから、上記とは異なり、図５（ｂ）に示すように、文字列Ｒ−２に対し、上記幅方向余白領域Ｓ−１，Ｓ−２のようなテープ幅方向両端側の余白領域をもたないフォントが用意されている。
【００３２】
したがって、上記のようにしてテンプレートＴが印字ラベル作成装置１へ転送されて印字ラベルＬが作成されたとき、上記のフォントの幅方向余白領域Ｓ−１，Ｓ−２の有無の差異により、図５（ａ）と図５（ｂ）とを対比して分かるように、操作者が編集時に意図したテンプレートＴの文字列Ｒ−１の態様と、印字ラベルＬの文字列Ｒ−２の態様とが、微妙に異なってしまう。
【００３３】
＜余白領域の削除処理＞
本実施形態では、上記のＰＣ１１８側のフォントと印字ラベル作成装置１側のフォントとのテープ幅方向両端側の幅方向余白領域Ｓ−１，Ｓ−２の不一致による弊害を回避するために、ＰＣ１１８において、テンプレートＴの幅方向余白領域Ｓ−１，Ｓ−２の削除処理が行われる。この処理について、図６及び図７を用いて説明する。
【００３４】
＜テンプレート作成時の入力操作画面＞
図６は、上記ＰＣ１１８のＣＰＵにインストールされた上記定型印字情報作成アプリケーションプログラムに基づき、表示部１１８ａに表示される入力操作画面１６Ａの一例を示している。図６において、入力操作画面１６Ａ上には、編集データの各種処理を行うための処理アイコン１６ａと、編集用アイコン１６ｂと、編集プレビュー表示画面１６ｃと、フォント種類表示欄１６ｅと、文字サイズ表示欄１６ｆと、が備えられている。
【００３５】
編集プレビュー表示画面１６ｃには、操作者による操作部１１８ｂを介した適宜の操作によって、定型印字情報作成アプリケーションプログラムによるテンプレートＴが作成される。このとき、テンプレートＴには、テープ幅方向両端側の幅方向余白領域Ｓ−１，Ｓ−２が存在している。
【００３６】
なお、プレビュー表示画面１６ｃの下側には、編集終了ボタン１６ｄが設けられている。例えば操作者が操作部１１８ｂを操作してこの編集終了ボタン１６ｄをクリックすることで、入力操作画面１６Ａ上において、定型印字情報転送アプリケーションプログラムの入力操作画面１７Ａが自動的に開く。
【００３７】
＜テンプレート転送時の入力操作画面＞
図７に上記入力操作画面１７Ａの一例を示す。この入力操作画面１７Ａには、印字ラベル作成装置１の機種名を選択可能に表示する機器表示ボックス１７ａと、「転送」ボタン１７ｂと、「閉じる」ボタン１７ｃと、ＰＣ１１８で用意されている複数のテンプレートＴをリスト表示するテンプレート一覧ボックス１７ｄと、各テンプレートＴに対応したプレビュー画像が表示される転送プレビュー表示画面１７ｆと、が設けられている。
【００３８】
機器表示ボックス１７ａには、この例では、複数の印字ラベル作成装置１の機種名が一括して表示（この例ではプルダウン表示）される。操作者が操作部１１８ｂを適宜に操作し、このようにして表示された印字ラベル作成装置１の機種名のうち、いずれか１つを選択すると、当該選択された機種名に対応したテンプレートＴが検索される。この検索結果が、上記テンプレート一覧ボックス１７ｄにリスト表示される。
【００３９】
テンプレート一覧ボックス１７ｄには、各テンプレートＴの名称、バージョン名、容量（サイズ）がこの順序で表示されている。この例では、上記機器表示ボックス１７ａでの「ＱＬ−７００」の選択に対応するテンプレートＴとして、「備品管理ラベル（１８ｍｍ）テンプレート」「備品管理ラベル（２４ｍｍ）テンプレート」「ファイルラベル（１２ｍｍ）テンプレート」「ファイルラベル（１８ｍｍ）テンプレート」「名札ラベル（１８ｍｍ）テンプレート」「名札ラベル（２４ｍｍ）テンプレート」の６種類が表示されている。
【００４０】
一方、テンプレート一覧ボックス１７ｄの各テンプレートＴの名称の表示の左端には、当該テンプレートＴを操作者が選択可能とするためのチェックボックスが設けられている。操作者が操作部１１８ｂを適宜に操作し、上記一覧表示されたテンプレートＴのいずれかのチェックボックスにチェックを入れて選択すると、転送プレビュー表示画面１７ｆにこのテンプレートＴの画像がプレビュー表示される。このとき、前述のように、印字ラベル作成装置１がテープ幅方向寸法に制約があるラベル用テープ３０Ａへの印字形成を行うことに対応し、（上記図６の入力操作画面１６Ａ上に表示されたテンプレートＴとは異なり）前述の幅方向余白領域Ｓ−１，Ｓ−２が予め削除され、その削除された形で転送プレビュー表示画面１７ｆにテンプレートＴが表示される。図７では、図６に示した文字列「ａｂｃｄｅｆｇ」を含むテンプレートＴが入力操作画面１７Ａに表示された例を示している。
【００４１】
そして、操作者が操作部１１８ｂの適宜の操作により「転送」ボタン１７ｂを押すことにより、上記のようにして選択されたテンプレートＴがＰＣ１１８から印字ラベル作成装置１へ転送される。なお、図示の例では、「ファイルラベル（１２ｍｍ）テンプレート」のチェックボックスにチェックが入れられて選択されている状態を示している。なお、「閉じる」ボタン１７ｃは、この入力操作画面１７Ａをクローズする（もしくは移行前の前画面に移行する）ためのボタンである。
【００４２】
＜印字ラベル作成装置での制御手順＞
上述の手法を実現するために、印字ラベル作成装置１の制御回路２１０の上記ＣＰＵが実行するラベル作成処理の内容を、図８により説明する。
【００４３】
まずステップＳ１０において、制御回路２１０の上記ＣＰＵは、ＰＣ１１８から既に取得され上記メモリ２１０Ａに記憶されていたテンプレートＴを、当該メモリ２１０Ａから読み込む。
【００４４】
その後、ステップＳ２０において、制御回路２１０の上記ＣＰＵは、タイマ２０１から現在時刻情報を取得する。
【００４５】
そして、ステップＳ３０において、制御回路２１０の上記ＣＰＵは、プラテンローラ駆動回路２０９に制御信号を出力する。これにより、プラテンローラ用モータ２０８がプラテンローラ２６を駆動し、ラベル用テープ３０Ａの搬送を開始する。
【００４６】
そして、ステップＳ４０において、制御回路２１０の上記ＣＰＵは、上記ステップＳ１０で読み込まれたテンプレートＴを用いつつ、上記ステップＳ２０で取得された現在時刻を含む印字データを生成し、当該生成された印字データに応じた制御信号を印刷駆動回路２０５に出力する。これにより、サーマルヘッド３１が、ラベル用テープ３０Ａに対し、上記印字データに対応したテンプレートＴ（前述した文字列Ｒ−２や現在時刻に対応した文字列Ｒ３を含む）の印字を開始する。
【００４７】
その後、ステップＳ５０で、制御回路２１０の上記ＣＰＵは、ラベル用テープ３０Ａへの印字が完了したかどうかを判定する。ラベル用テープ３０Ａへの印字が完了した場合、ステップＳ５０の判定が満たされ（Ｓ５０：ＹＥＳ）、ステップＳ６０へ移行する。ラベル用テープ３０Ａへの印字が完了していない場合（Ｓ５０：ＮＯ）、ステップＳ５０の判定が満たされるまでループ待機する。
【００４８】
ステップＳ６０では、制御回路２１０の上記ＣＰＵは、ラベル用テープ３０Ａが所定の切断位置に達したかどうか、すなわち、例えば、サーマルヘッド３１による印刷の範囲の末端部が、カッターユニット４０の固定刃４１から所定の長さ分、搬送されたかどうかを判定する。この判定は、例えば、上記ラベル用テープ３０Ａに設けた適宜の識別用マークを、上記センサ２３９で検出することにより行えば足りる。あるいは、ある基準位置からの搬送距離を所定の公知の方法（ステッピングモータであるプラテンローラ用モータ２０８を駆動するプラテンローラ駆動回路２０９の出力するパルス数をカウントする等）で検出するようにしてもよい。ラベル用テープ３０Ａが所定の切断位置に達した場合、ステップＳ６０の判定が満たされ（Ｓ６０：ＹＥＳ）、ステップＳ７０へ移行する。ラベル用テープ３０Ａが所定の切断位置に達していない場合（Ｓ６０：ＮＯ）、ステップＳ６０の判定が満たされるまでループ待機する。
【００４９】
ステップＳ７０では、制御回路２１０の上記ＣＰＵは、例えばプラテンローラ駆動回路２０９への制御信号の出力を停止する。これにより、プラテンローラ２６の回転が停止し、ラベル用テープ３０Ａの搬送が停止する。
【００５０】
そしてステップＳ８０において、制御回路２１０の上記ＣＰＵは、切断用駆動回路に制御信号を出力する。これにより、上記アクチュエータがカッターユニット４０の可動刃４１Ａを駆動し、可動刃４１Ａがラベル用テープ３０Ａを切断する。これにより、例えば前述の図５（ｃ）に示した、文字列Ｒ−２や文字列Ｒ３が印字形成された印字ラベルＬが生成される。その後、このルーチンを終了する。
【００５１】
＜ＰＣでの制御手順＞
次に、上述の手法を実現するために、ＰＣ１１８の上記ＣＰＵが実行するテンプレート作成処理（定型印字情報処理方法）の内容を、図９により説明する。
【００５２】
まずステップＳ１１０において、ＰＣ１１８のＣＰＵは、操作部１１８ｂを介し、操作者により、ラベル作成のための適宜の編集操作（原型テンプレートの選択、読み込み、文字入力等）があったかどうかを判定する。編集操作があった場合、ステップＳ１１０の判定が満たされ（Ｓ１１０：ＹＥＳ）、ステップＳ１２０へ移行する。編集操作が無かった場合、ステップＳ１１０の判定が満たされず（Ｓ１１０：ＮＯ）、ＣＰＵは編集操作があるまでループ待機する。
【００５３】
ステップＳ１２０では、上記操作部１１８ｂを介した、上記入力操作画面１６Ａ上での操作者の操作に対応して、ＰＣ１１８のＣＰＵは、上記定型印字情報作成アプリケーションプログラムに基づきテンプレートＴを作成する。これにより、前述の例では、上記原型テンプレートＴ−０の領域ＡＲ−１に適宜の文字列Ｒ−１が入力された、上記テンプレートが完成する。
【００５４】
その後、ステップＳ１３０では、上記操作部１１８ｂを介した、上記入力操作画面１７Ａ上での操作者の操作に対応して、ＰＣ１１８のＣＰＵは、上記ステップＳ１２０において作成されたテンプレートＴの文字列の周囲に（上記定型印字情報作成アプリケーションプログラムによって）自動的に設定されている、上記幅方向余白領域Ｓ−１，Ｓ−２の削除処理を、上記定型印字情報転送アプリケーションプログラムに基づいて実行する。その後、ステップＳ１４０に移る。
【００５５】
ステップＳ１４０では、ＰＣ１１８のＣＰＵは、上記ステップＳ１３０で幅方向余白領域Ｓ−１，Ｓ−２の削除が行われたテンプレートＴを、入力操作画面１７Ａ上の転送プレビュー表示画面１７ｆに表示する。その後、ステップＳ１５０に移る。
【００５６】
ステップＳ１５０では、ＰＣ１１８のＣＰＵは、上記操作部１１８ｂを介して、転送プレビュー表示画面１７ｆに表示された上記「転送」ボタン１７ｂが操作されたか否か、を判定する。「転送」ボタン１７ｂが操作された場合、ステップＳ１５０の判定が満たされ（Ｓ１５０：ＹＥＳ）、ステップＳ１６０へ移行する。「転送」ボタン１７ｂが操作されていない場合、ステップＳ１５０の判定が満たされず（Ｓ１５０：ＮＯ）、「転送」ボタン１７ｂが操作されるまでループ待機する。
【００５７】
ステップＳ１６０では、ＰＣ１１８のＣＰＵは、定型印字情報転送アプリケーションプログラムに基づき、転送プレビュー表示画面１７ｆに表示されたテンプレートＴを印字ラベル作成装置１へ転送する。その後、このルーチンを終了する。
【００５８】
なお、上記ステップＳ１２０が各請求項記載の定型印字作成手順に相当し、ステップＳ１３０が各請求項記載の余白領域削除手順に相当し、ステップＳ１４０が各請求項記載の定型印字表示手順に相当し、ステップＳ１６０が各請求項記載の定型印字転送手順に相当する。
【００５９】
以上説明したように、本実施形態のＰＣ１１８は、テンプレートＴの文字列の周囲に自動的に設定される余白領域のうち、少なくとも幅方向余白領域Ｓ−１，Ｓ−２を削除して、入力操作画面１７Ａの転送プレビュー表示画面１７ｆに表示する。その後、当該テンプレートＴを印字ラベル作成装置１へ転送する。これにより、印字ラベル作成装置１で印字形成する文字列の態様を、操作者がＰＣ１１８でテンプレートＴを編集した時に意図した文字列の態様になるべく近づけることができる。この結果、操作者の利便性を向上することができる。
【００６０】
なお、上記はテープ幅方向両端側の余白の削除のみを行ったが、これに限られない。すなわち、テープ幅方向両端側の余白の削除と、テープ長さ方向両端側の長さ方向余白の削除とを併せて実行してもよい。この場合、印字ラベル作成装置１で印字形成する文字列の態様を、操作者がＰＣ１１８でテンプレートＴを編集した時に意図した文字列の態様に、より確実に一致させることができる。
【００６１】
なお、本発明は、上記実施形態に限られず、技術的思想を逸脱しない範囲内で種々の変形が可能である。以下、そのような変形例を順を追って説明する。なお、各変形例において、上記実施形態と同等の部分や同等の手順には同一の符号を付し、適宜説明を省略又は簡略化する。
【００６２】
（１）枠サイズが固定されたテンプレートを表示する場合
ＰＣ１１８の編集プレビュー表示画面１６ｃ上でテンプレートＴが作成されるとき、例えば、テンプレートＴ全体の大きさ（すなわち外枠サイズ）を所定値に固定した条件で作成される場合がある。この場合、文字列を配置可能な領域の大きさが狭くなったり文字数が多くなると、外枠サイズが固定されていることから表示されるときのフォントサイズが小さくなり、逆に、文字列を配置可能な領域の大きさが広くなったり文字数が少なくなると表示されるときのフォントサイズが大きくなる。
【００６３】
この結果、図１０（ａ）に示すような、ＰＣ１１８の表示部１１８ａで表示される幅方向余白領域Ｓ−１，Ｓ−２が存在するテンプレートＴでは、文字列を配置可能な領域の大きさが狭くなることからフォントサイズが小さくなる。一方、図１０（ｂ）に示すように、実際に印字ラベル作成装置１で印字形成されるときには、上述したように上記幅方向余白領域Ｓ−１，Ｓ−２に相当する余白が存在せず上記文字列を配置可能な領域の大きさが広いことから、フォントサイズが大きくなる。
【００６４】
したがって、前述のようにして操作者により編集されたテンプレートＴが印字ラベル作成装置１へ転送され、そのテンプレートＴを用いて印字ラベルＬが作成されたとき、上記図１０（ａ）や図１０（ｂ）に示すように、（上記のフォントの幅方向余白領域Ｓ−１，Ｓ−２の有無の差異によって）印字ラベルＬで印字形成される文字列のフォントサイズが、操作者が編集時に意図したフォントサイズと異なってしまう可能性がある。
【００６５】
そこで、本変形例では、前述したように、テンプレートＴの文字列に対して自動的に設定される余白領域のうち少なくとも幅方向余白領域Ｓ−１，Ｓ−２が削除されたとき、その削除後の文字列に対するフォントサイズが改めて決定（変更）される。そして、最終的なテンプレートＴにおける上記文字列のフォントサイズは、当該変更されたフォントサイズに設定（変換）される。
【００６６】
すなわち、テンプレートＴの幅方向余白領域Ｓ−１，Ｓ−２の削除を行った後、ＰＣ１１８のＣＰＵは、上記外枠に包含されるテンプレートＴの文字列に対して適用すべきフォントサイズを改めて決定する。そして、ＰＣ１１８のＣＰＵは、上記幅方向余白領域Ｓ−１，Ｓ−２が削除されたテンプレートＴに含まれる文字列のフォントサイズに対し、上記決定されたフォントサイズを適用し、表示部１１８ａにおいて表示させる。
【００６７】
本変形例におけるＰＣ１１８のＣＰＵが実行する制御手順を図１１により説明する。上記図９と同等の手順には同一の符号を付し、適宜説明を省略又は簡略化する。
【００６８】
図１１に示すフローでは、図９に示すフローのステップＳ１２０に代えてステップＳ１２０′を設け、ステップＳ１３０とステップＳ１４０との間に新たにステップＳ２４０及びステップＳ２５０を設けている。
【００６９】
すなわち、ＰＣ１１８のＣＰＵは、前述と同様、ステップＳ１１０で編集操作があったかどうかを判定した後、判定が満たされたら（Ｓ１１０：ＹＥＳ）新たに設けたステップＳ１２０′へ移行する。
【００７０】
ステップＳ１２０′では、ＰＣ１１８のＣＰＵは、前述のステップＳ１２０と同様、上記操作部１１８ｂを介した、上記入力操作画面１６Ａ上での操作者の操作に対応して、上記定型印字情報作成アプリケーションプログラムに基づきテンプレートＴを作成する。但し、このステップＳ１２０′では、上述した外枠サイズ固定の条件の下で、テンプレートＴを作成する。
【００７１】
その後、上記図９と同様のステップＳ１３０において、ＰＣ１１８のＣＰＵは、上記ステップＳ１２０′において作成されたテンプレートＴの文字列の周囲に（上記定型印字情報作成アプリケーションプログラムによって）自動的に設定されている、上記幅方向余白領域Ｓ−１，Ｓ−２の削除処理を実行する。その後、新たに設けたステップＳ２４０に移る。
【００７２】
ステップＳ２４０では、ＰＣ１１８のＣＰＵは、所定値の固定サイズである外枠に包含されるテンプレートＴにおいて、上記ステップＳ１３０の削除処理により文字列を配置可能な領域の大きさが広くなったことに対応して、文字列に対し適用すべきフォントサイズを新たに決定（変更）する。なお、このステップＳ２４０が各請求項記載のフォントサイズ決定手順に相当する。その後、ステップＳ２５０に移る。
【００７３】
ステップＳ２５０では、ＰＣ１１８のＣＰＵは、上記ステップＳ１２０′で作成されたテンプレートＴの文字列に対し、上記ステップＳ２４０で決定されたフォントサイズを適用する。言い換えれば、上記ステップＳ１２０′で作成されたテンプレートＴの文字列のフォントサイズを、上記ステップＳ２４０で決定されたフォントサイズに変換する。なお、このステップＳ２５０が各請求項記載のフォントサイズ変換手順に相当する。
【００７４】
その後のステップＳ１４０、ステップＳ１５０、ステップＳ１６０は上記図９と同様であり、説明を省略する。
【００７５】
本変形例によれば、上述したように、テンプレートＴの文字列に対して自動的に設定される余白領域のうち少なくとも幅方向余白領域Ｓ−１，Ｓ−２が削除され、その削除後の文字列に対するフォントサイズが決定される。そして、上記文字列のフォントサイズが、上記決定されたフォントサイズに変換される。これにより、印字ラベル作成装置１で印字形成する文字列のフォントサイズを、操作者がＰＣ１１８でテンプレートＴを編集した時に意図した文字列のフォントサイズになるべく近づけることができる。
【００７６】
（２）複数行にわたる長文を含むテンプレートを表示する場合
ＰＣ１１８の編集プレビュー表示画面１６ｃ上でテンプレートＴが作成されるとき、上記のように外枠サイズを所定値に固定し、かつ、文字列が複数行にまたがるようなテンプレートが作成される場合がある。この場合、文字列を配置可能な領域の大きさや文字数が変化すると、これに対応して文字列の改行が行われる場所が変わる。言い換えれば、文字列を構成する複数の文字の、各行への分配態様が変わる。
【００７７】
例えば、図１２（ａ）では、長文縦書き用のテンプレートＴにおいて、「ａｂｃｄｅｆ」の６文字からなる文字列Ｒ−１が縦書きで配置される。このとき、各文字Ｒのフォントがテープ幅方向（上下方向）余白領域Ｓ−３を備える場合、上記固定サイズのテンプレートＴの縦幅に対応して、右側に「ａ」「ｂ」「ｃ」の３つの文字Ｒが配置されるとともに、左側に「ｄ」「ｅ」「ｆ」の３つの文字Ｒが配置され、振り分けられる。すなわち、「ｄ」の文字Ｒの手前で自動的に改行が実行される。これは、各文字Ｒのフォントが上側に上記余白領域Ｓ−３を備えていることから、「ａ」「ｂ」「ｃ」の文字Ｒを３つ並べた後にそれらの下方に空いているスペースが狭く、仮に「ｃ」の文字Ｒの下方に「ｄ」の文字Ｒを配置しようとすると、テンプレートＴから「ｄ」がはみ出してしまうからである。この結果、「ｄ」の文字Ｒは「ｃ」の文字Ｒの下側に配置不可能となり、上記改行が行われる。
【００７８】
これに対して、図１２（ｂ）に示すように、実際に印字ラベル作成装置１で印字形成されるときには、上述したように文字列Ｒ−２の各文字Ｒには上記幅方向余白領域Ｓ−３に相当する余白が存在しないことから、「ａ」「ｂ」「ｃ」の文字Ｒを３つ並べた後でもそれらの下方にさらに空いているスペースが広く、「ｃ」の文字Ｒの下方に「ｄ」の文字Ｒをさらに配置することができる。したがって印字ラベルＬでは、文字列Ｒ−２のうち「ａ」「ｂ」「ｃ」「ｄ」の４つの文字Ｒが右側の行に配置されるとともに、「ｅ」「ｆ」の２つの文字Ｒが左側の行に配置され、振り分けられる。すなわち、「ｅ」の文字Ｒの手前で自動的に改行が実行される。
【００７９】
したがって、前述のようにして操作者により編集されたテンプレートＴが印字ラベル作成装置１へ転送され、そのテンプレートＴを用いて印字ラベルＬが作成されたとき、上記のフォントの余白領域Ｓ−３の有無の差異によって、印字ラベルＬで印字形成される文字列Ｒ−２の各文字Ｒの各行への分配態様が、操作者が編集時に意図した分配態様と異なってしまう可能性がある。
【００８０】
そこで、本変形例では、前述と同様、テンプレートＴの文字列Ｒ−１の各文字Ｒの上部に対し自動的に設定される幅方向余白領域Ｓ−３が削除されたとき、その削除後の文字列Ｒ−１に対するフォントサイズが改めて決定（変更）される。また、テンプレートＴにおける上記文字列のフォントサイズが、当該変更されたフォントサイズに設定（変換）される。そして、その変換されたフォントサイズを用いて、文字列Ｒ−１の各文字Ｒを複数行へ配列するときの各行への分配態様を決定する。
【００８１】
すなわち、テンプレートＴの幅方向余白領域Ｓ−３の削除を行った後、ＰＣ１１８のＣＰＵは、上記外枠に包含されるテンプレートＴの文字列に対して適用すべきフォントサイズを改めて決定する。そして、ＰＣ１１８のＣＰＵは、上記幅方向余白領域Ｓ−３が削除されたテンプレートＴに含まれる文字列のフォントサイズに対し、上記決定されたフォントサイズを適用する。さらに、ＰＣ１１８のＣＰＵは、上記フォントサイズにより文字列Ｒ−１の各文字Ｒを複数行へ配列するときの各行への分配態様を決定し、その決定した分配態様に沿って表示部１１８ａにおいて表示を実行させる。
【００８２】
次に、本変形例のＰＣ１１８のＣＰＵが実行する制御を図１３により説明する。
【００８３】
本変形例におけるＰＣ１１８のＣＰＵが実行する制御手順を図１３により説明する。上記図９及び図１１と同等の手順には同一の符号を付し、適宜説明を省略又は簡略化する。
【００８４】
図１３に示すフローでは、図１１に示すフローのステップＳ２５０とステップＳ１４０との間に新たにステップＳ３６０を設けている。
【００８５】
すなわち、ＰＣ１１８のＣＰＵは、前述と同様の、ステップＳ１１０、ステップＳ１２０′を経て、ステップＳ１３０で、上記同様、上記ステップＳ１２０′において作成されたテンプレートＴの文字列の周囲に（上記定型印字情報作成アプリケーションプログラムによって）自動的に設定されている、上記幅方向余白領域Ｓ−３の削除処理を実行する。その後、前述と同様、ステップＳ２４０でのフォントサイズ決定処理、ステップＳ２５０でのフォントサイズ置換処理の後、新たに設けたステップＳ３６０に移る。
【００８６】
ステップＳ３６０では、ＰＣ１１８のＣＰＵは、上記ステップＳ２５０で変換が行われたフォントサイズを用いて、テンプレートＴの文字列Ｒ−１の各文字Ｒを複数行へ配列するときの各行への分配態様を決定する。なお、このステップＳ３６０が各請求項記載の分配態様決定手順に相当する。
【００８７】
その後のステップＳ１４０、ステップＳ１５０、ステップＳ１６０は上記図１１と同様であり、説明を省略する。
【００８８】
本変形例においては、上述したように、テンプレートＴに含まれる文字列Ｒ−１の各文字Ｒを、変換された後のフォントサイズを用いて配列し直して表示する。これにより、印字ラベル作成装置１で印字形成する文字列Ｒ−２の複数行への文字分配態様を、操作者がＰＣ１１８でテンプレートＴを編集した時に意図した分配態様に、なるべく近づけることができる。
【００８９】
なお、上記図８、図９、図１１、図１３の各図におけるフローチャートは本発明を上記フローに示す手順に限定するものではなく、発明の趣旨及び技術的思想を逸脱しない範囲内で手順の追加・削除又は順番の変更等をしてもよい。
【００９０】
また、上記図３中に示す矢印は信号の流れの一例を示すものであり、信号の流れ方向を限定するものではない。
【００９１】
また、以上既に述べた以外にも、上記実施形態や各変形例による手法を適宜組み合わせて利用しても良い。
【００９２】
その他、一々例示はしないが、本発明は、その趣旨を逸脱しない範囲内において、種々の変更が加えられて実施されるものである。
【符号の説明】
【００９３】
１                  印字ラベル作成装置
３０Ａ              ラベル用テープ（被印字テープ）
１１８              ＰＣ（操作端末）
１１８ａ            表示部（表示手段）
１１８ｂ            操作部（操作手段）
Ｌ                  印字ラベル
Ｓ−１，Ｓ−２      幅方向余白領域
Ｓ−３              幅方向余白領域
Ｔ                  テンプレート（定型印字情報）
【図１】
0005910050.tif 000002
【図２】
0005910050.tif 000003
【図３】
0005910050.tif 000004
【図４】
0005910050.tif 000005
【図５】
0005910050.tif 000006
【図６】
0005910050.tif 000007
【図７】
0005910050.tif 000008
【図８】
0005910050.tif 000009
【図９】
0005910050.tif 000010
【図１０】
0005910050.tif 000011
【図１１】
0005910050.tif 000012
【図１２】
0005910050.tif 000013
【図１３】
0005910050.tif 000014